(57)【要約】【課題】撮影を許可されていない者の不正な撮影を防止することができる不正撮影防止装置および不正撮影防止システムを提供する。【解決手段】この不正撮影防止システムは、赤外線を発光する光源３Ａおよび光源３Ｂを有する不正撮影防止装置１０と、監視カメラ４と、タイミングコントローラ５と、を有する。タイミングコントローラ５によって、光源３Ａおよび光源３Ｂの赤外線の発光のＯＮ／ＯＦＦが制御される。監視カメラ４のレンズが展示物１に向いている間、光源３Ａおよび３Ｂの赤外線の発光がＯＦＦとなるように制御される。【選択図】図１
2009016254.tif 000002
【特許請求の範囲】
【請求項１】
所定の撮影対象物を撮影する場合に、上記撮影対象物を含む撮影範囲に赤外線が存在するように赤外線を発光する光源を有し、
上記光源の上記赤外線の発光のＯＮ／ＯＦＦが制御されることを特徴とする不正撮影防止装置。
【請求項２】
上記光源の上記赤外線の発光が、撮影が許可された者の撮影に同期させてＯＦＦとなるように制御されることを特徴とする請求項１記載の不正撮影防止装置。
【請求項３】
上記光源の上記赤外線の発光が、監視カメラのレンズが上記撮影対象物に向いている間または監視カメラが上記撮影対象物を撮影するタイミングに合わせてＯＦＦとなるように制御されることを特徴とする請求項１記載の不正撮影防止装置。
【請求項４】
上記光源の上記赤外線の発光が、撮影が許可されている者かどうかを認証する認証手段によって撮影が許可されている者と認証された場合に、上記撮影が許可されている者の撮影に同期させて、ＯＦＦとなるように制御されることを特徴とする請求項１記載の不正撮影防止装置。
【請求項５】
上記光源の上記赤外線の発光がＯＮとされている間、上記赤外線の発光強度が周期的または乱数的に変化するように制御されることを特徴とする請求項１記載の不正撮影防止装置。
【請求項６】
所定の撮影対象物を撮影する場合に、上記撮影対象物を含む撮影範囲に赤外線が存在するように赤外線を発光する光源を有し、上記光源の上記赤外線の発光のＯＮ／ＯＦＦが制御される不正撮影防止装置と、
撮影対象物を監視するための監視カメラと、
を備え、
上記監視カメラのレンズが上記撮影対象物に向いている間または上記監視カメラが上記撮影対象物を撮影するタイミングに合わせて、上記光源の上記赤外線の発光がＯＦＦとなるように制御されることを特徴とする不正撮影防止システム。
【請求項７】
上記光源の上記赤外線の発光がＯＮとされている間、上記赤外線の発光強度が周期的または乱数的に変化するように制御されることを特徴とする請求項６記載の不正撮影防止システム。
【請求項８】
所定の撮影対象物が撮影される場合に、上記撮影対象物を含む撮影範囲に赤外線が存在するように赤外線を発光する光源を有し、上記光源の上記赤外線の発光のＯＮ／ＯＦＦが制御される不正撮影防止装置と、
撮影が許可されている者かどうかを認証する認証手段と、
を備え、
上記認証手段によって撮影が許可されている者と認証された場合に、上記撮影が許可されている者の撮影に同期させて、上記光源の上記赤外線の発光がＯＦＦとなるように制御されること
を特徴とする不正撮影防止システム。
【請求項９】
上記光源の上記赤外線の発光がＯＮとされている間、上記赤外線の発光強度が周期的または乱数的に変化するように制御されることを特徴とする請求項８記載の不正撮影防止システム。
【発明の詳細な説明】
【技術分野】
【０００１】
この発明は、不正撮影防止装置および不正撮影防止システム関する。さらに詳しくは、例えば、展示会などで出展物の不正な撮影を防止できる不正撮影防止装置および不正撮影防止システムに関する。
【背景技術】
【０００２】
製品展示などが行われる展示会では、新製品情報の画像が漏洩するなどの問題があるため、製品の撮影が禁止されている場合や一部の者にしか撮影の許可を認めていない場合がある。このような場合、撮影が許可されていない者の不正な撮影に対する対策として、監視員を配置するなどの措置が採られている。
【０００３】
また、例えば、特許文献１では、スチルカメラやビデオカメラなどの撮影装置によって、美術品や著名人などが不正に撮影されるのを防止するために、赤外光をある程度の強さ以上にして被写体自体から外部に照射する撮影妨害技術が提案されている。
【０００４】
【特許文献１】特開２００１−３１３００６号公報
【発明の開示】
【発明が解決しようとする課題】
【０００５】
しかしながら、製品展示会において、撮影が許可されていない者の不正な撮影に対する対策として、監視員を配置する程度の対処方法では、撮影が許可されていない者の不正な撮影を完全に防止することができない。また、特許文献１に記載の技術では、常に赤外線が被写体に照射された状態にされるので、一部の撮影許可者の撮影や監視カメラの撮影を妨害してしまう不都合が生じてしまう。
【０００６】
したがって、この発明の目的は、撮影を許可されていない者の不正な撮影を防止することができる不正撮影防止装置および不正撮影防止システムを提供することにある。
【課題を解決するための手段】
【０００７】
上述した課題を解決するために、第１の発明は、
所定の撮影対象物を撮影する場合に、撮影対象物を含む撮影範囲に赤外線が存在するように赤外線を発光する光源を有し、
光源の赤外線の発光のＯＮ／ＯＦＦが制御されることを特徴とする不正撮影防止装置である。
【０００８】
第２の発明は、
所定の撮影対象物を撮影する場合に、撮影対象物を含む撮影範囲に赤外線が存在するように赤外線を発光する光源を有し、光源の赤外線の発光のＯＮ／ＯＦＦが制御される不正撮影防止装置と、
撮影対象物を監視するための監視カメラと、
を備え、
監視カメラのレンズが撮影対象物に向いている間または監視カメラが撮影対象物を撮影するタイミングに合わせて、光源の赤外線の発光がＯＦＦとなるように制御されることを特徴とする不正撮影防止システムである。
【０００９】
第３の発明は、
所定の撮影対象物が撮影される場合に、撮影対象物を含む撮影範囲に赤外線が存在するように赤外線を発光する光源を有し、光源の赤外線の発光のＯＮ／ＯＦＦが制御される不正撮影防止装置と、
撮影が許可されている者かどうかを認証する認証手段と、
を備え、
認証手段によって撮影が許可されている者と認証された場合に、撮影が許可されている者の撮影に同期させて、光源の赤外線の発光がＯＦＦとなるように制御されること
を特徴とする不正撮影防止システムである。
【００１０】
第１〜第３の発明では、赤外線の発光のＯＮ／ＯＦＦが制御され、所定の撮影対象物を撮影する場合に、撮影対象物を含む撮影範囲に赤外線が存在するように赤外線を発光する光源によって、撮影が許可されていない者の不正な撮影を防止することができる。
【００１１】
第２の発明では、監視カメラのレンズが撮影対象物に向いている間または監視カメラが撮影対象物を撮影するタイミングに合わせて、赤外線の発光をＯＦＦにすることで、監視カメラの撮影に影響を与えないように不正な撮影を防止することができる。
【００１２】
第３の発明では、センサによって撮影が許可されている者と判断された場合に、撮影が許可されている者が撮影するタイミングに合わせ、赤外線の発光をＯＦＦにすることで、撮影が許可されている者の撮影に影響を与えないように不正な撮影を防止することができる。
【発明の効果】
【００１３】
この発明によれば、撮影を許可されていない者の不正な撮影を防止することができる。また、監視カメラの撮影に影響を与えないように不正な撮影を防止することができる。さらに、撮影が許可されている者の撮影に影響を与えないように不正な撮影を防止することができる。
【発明を実施するための最良の形態】
【００１４】
以下、この発明の実施の形態について図面を参照して説明する。図１は、この発明の一実施形態による不正撮影防止システムの一構成例を示す。図１に示すようにこの発明の一実施形態による不正撮影防止システムは、光源３Ａおよび光源３Ｂを有する不正撮影防止装置１０と、タイミングコントローラ５と、監視カメラ４と、センサ７と、を備える。また、図１において、記者６は、展示物１の撮影が許可された者であり、撮影が許可されていない者（以下、盗撮者と称する）２Ａ〜２Ｃは、展示物１の撮影が許可されていない者であって、展示物１を不正に撮影しようする者である。
【００１５】
光源３Ａは、人目につかないように、例えば、展示物１の周辺に配置されるような、人形などのアクセサリの中に配置される。光源３Ａは、撮影が許可されていない盗撮者２Ａに対して、赤外線を照射することによって、盗撮者２Ａの不正な撮影を防止することができる。
【００１６】
光源３Ｂは、望遠レンズなどを搭載したカメラで、盗撮するのに適した場所からの不正な撮影を防止することを目的するものである。光源３Ｂは、盗撮者２Ｂ、盗撮者２Ｃのように盗撮するのに適した場所から撮影しようとする者に対して、赤外線を照射することによって、盗撮者２Ｂ〜２Ｃの不正な撮影を防止することができる。
【００１７】
タイミングコントローラ５は、光源３Ａおよび光源３Ｂの赤外線の発光のＯＮ／ＯＦＦを制御するものである。監視カメラ４には、例えば、可動式のものや、比較的長い周期で静止画の撮影を繰り返すような準動画式のものなどがあり、展示物１の盗難などを防止するために、展示物１や展示物１の周辺などを撮影するものである。センサ７は、認証手段として、撮影が許可された者かどうかを認証するものである。
【００１８】
光源３Ａおよび光源３Ｂは、例えば赤外線ＬＥＤなどから構成される。赤外線の発光のＯＮ／ＯＦＦは、外部からのタイミングコントローラ５によって制御される。
【００１９】
赤外線は、不可視領域の光であるので、展示物１の観覧の妨げとならない。赤外線は、盗撮目的で撮影を行おうとするスチルカメラや動画用カメラなどの撮影機器の露光機能やピント調整などのような光学測定機能の動作を乱すことにより、不正な撮影を妨害できる。赤外線は、赤外線の発光がＯＮとされている間、発光強度が周期的または乱数的に変化するように制御すると効果的である。例えば、タイミングコントローラ５または光源３Ａおよび光源３Ｂに内蔵された回路によって、光源３Ａおよび光源３Ｂが盗撮者２Ａ〜２Ｃのカメラが一般的に持つ赤外線によるピント調整機能の信号と似通った発信を行うように指示をし、盗撮者２Ａ〜２Ｃのカメラのオートフォーカス機能を狂わせるなどによって、盗撮者２Ａ〜２Ｃが正常に撮影できないようにする。
【００２０】
タイミングコントローラ５は、例えば、監視カメラ４から通知されるタイミングに従って、光源３Ａおよび光源３Ｂの発光のＯＮ／ＯＦＦを制御する。例えば、監視カメラ４が可動式のものである場合には、監視カメラ４のレンズが展示物１に向いているタイミングをタイミングコントローラ５に通知し、この通知に基づきタイミングコントローラ５から光源３Ａおよび光源３Ｂに送られる信号に従って、撮影の瞬間のみ、光源３Ａおよび光源３Ｂからの赤外線の照射を一時的に停止させるようにする。これにより、監視カメラ４による展示物１の監視映像を妨害することなく盗撮者２Ａ〜２Ｃの不正な撮影を防止できる。
【００２１】
例えば、監視カメラ４が、準動画式の場合には、準動画の撮影のタイミングをタイミングコントローラ５に通知し、この通知に基づきタイミングコントローラ５から光源３Ａおよび３Ｂに送られる信号に従って、撮影の瞬間のみ、光源３Ａおよび光源３Ｂからの赤外線の照射を一時的に停止させるようにする。これにより、監視カメラ４による展示物１の監視映像を妨害することなく盗撮者２Ａ〜２Ｃの不正な撮影を防止できる。
【００２２】
また、タイミングコントローラ５は、センサ７から通知されるタイミングによって、光源３Ａおよび光源３Ｂの発光のＯＮ／ＯＦＦを制御する。センサ７は、撮影が許可された者を認証する機能を有し、撮影が許可された者による撮影が行われることをタイミングコントローラ５に通知する。展示会においては、主催者に対して記者登録を行った記者６などのように、撮影が許可される者もいる。そのような記者６の撮影を妨害しないようにセンサ７による認証を行い、撮影が許可された者の撮影するタイミングに同期させ、赤外線の発光をＯＦＦとする。
【００２３】
センサ７による認証は、例えば、ＲＦＩＤ（Radio Frequency IDentification）などにより行われる。例えば、記者６が有する登録証に内蔵したＩＣタグに撮影許可情報を書き込み、この撮影許可情報を無線通信によりセンサ７で検出するなどのようにして行われる。センサ７によって撮影許可情報が検出されると、センサ７からタイミングコントローラ５に撮影許可情報が検出されたことを通知し、この通知に基づきタイミングコントローラ５は、光源３Ａおよび光源３Ｂに対して、赤外線の照射を一時的に停止するよう指示を行う。これにより、記者６は、展示物１を撮影することが可能となる。
【００２４】
赤外線の発光のＯＮ／ＯＦＦの制御を図２のタイミングチャートを参照しながら具体的に説明する。図２Ａを参照しながら、監視カメラ４の動作に同期させて、光源３Ａおよび３Ｂの発光のＯＮ／ＯＦＦを制御する場合の処理を説明する。
【００２５】
図２Ａにおいて、ＯＮと表示されている期間では、撮影妨害用の赤外線の照射が行われており、ＯＦＦと表示されている期間では、撮影妨害用の赤外線の照射が停止されている。期間Ｔは、監視カメラ４が展示物１を撮影している期間である。具体的には、例えば、監視カメラ４が可動式の場合では、監視カメラ４のレンズが展示物１に向いている期間であり、また例えば、監視カメラ４が準動画式の場合では、監視カメラ４が展示物１を撮影するタイミングなどである。スイッチのＯＮ／ＯＦＦの切り替えは、タイミングコントローラ５から送られる信号によって行われる。
【００２６】
図２Ｂを参照しながら、センサ７によって撮影許可者の認証を行い、光源３Ａおよび３Ｂの発光のＯＮ／ＯＦＦを制御する場合の処理を説明する。ＯＮと表示されている期間では、撮影妨害用の赤外線の照射がなされており、ＯＦＦと表示されている期間では、撮影妨害用の赤外線の照射が停止されている。ｔ１〜ｔ２期間は、撮影が許可された者の撮影時間に対応している。ｔ１時点で、センサ７からの通知に基づくタイミングコントローラ５から送られる信号により、赤外線の発光がＯＮからＯＦＦに切り替えられる。ｔ２時点で、センサ７からの通知に基づくタイミングコントローラ５から送られる信号により、赤外線の発光がＯＦＦからＯＮに切り替えられる。
【００２７】
図３に、この発明の一実施形態による不正撮影防止システムのフローチャートを示す。撮影妨害用の赤外線の照射が開始された後、ステップＳ１１において、センサ７によって、記者６などのように撮影が許可された者の検出が行われる。センサ７によって、記者６が検出された場合には、ステップＳ１２において、センサ７から、タイミングコントローラ５に通知され、この通知に基づきタイミングコントローラ５から信号が送られ撮影妨害用の赤外線の照射が停止される。ステップＳ１３において、設定時間が経過したかどうかの判定が行われ、設定時間が経過した場合には、撮影妨害用の赤外線の照射が再開される。
【００２８】
また、ステップＳ１４において、監視カメラ４の撮影のタイミングがタイミングコントローラ５に通知された場合には、ステップＳ１５において、撮影妨害用の赤外線の照射が停止される。ステップＳ１６において、監視カメラ４から撮影終了の通知がされたら、撮影妨害用の赤外線の照射が停止される。また、監視カメラ４から撮影終了の通知がされない場合には、ステップＳ１７において、設定時間経過が経過したかどうかの判定が行われ、設定時間が経過した場合には、撮影妨害用の赤外線の照射が再開される。
【００２９】
以上説明したように、この発明の不正撮影防止システムによると、赤外線の発光のＯＮ／ＯＦＦが制御され、所定の撮影対象物を撮影する場合に、撮影対象物を含む撮影範囲に発光した赤外線が存在するように赤外線を発光する光源によって、撮影が許可されていない者の不正な撮影を防止することができる。
【００３０】
また、この発明の不正撮影防止システムによると、監視カメラ４のレンズが撮影対象物に向いている間または監視カメラ４が撮影対象物を撮影するタイミングに合わせて、赤外線の発光をＯＦＦにすることで、監視カメラ４の撮影に影響を与えないように不正な撮影を防止することができる。
【００３１】
さらに、この発明の不正撮影防止システムによると、センサ７によって撮影が許可されている者と判断された場合に、撮影が許可されている者が撮影するタイミングに合わせ、赤外線の発光をＯＦＦにすることで、記者６などのような撮影が許可されている者の撮影に影響を与えないように不正な撮影を防止することができる。
【００３２】
この発明は、上述したこの発明の実施形態に限定されるものでは無く、この発明の要旨を逸脱しない範囲内で様々な変形や応用が可能である。例えば、上述の実施形態では、記者６の認証を無線による通信で行う例について説明したが、記者６の認証を有線通信または可視光線通信によって行ってもよく、また、例えば、記者６の認証を、展示物１の近傍に設置されたキーボードに暗証番号を入力するなどのようにして行ってもよい。
【図面の簡単な説明】
【００３３】
【図１】この発明の一実施形態による不正撮影防止システムの構成例を示す図である。
【図２】赤外線の発光のＯＮ／ＯＦＦの切り替えに関するタイミングチャートである。
【図３】この発明の一実施形態による不正撮影防止システムのフローチャートである。
【符号の説明】
【００３４】
１・・・展示物
２Ａ、２Ｂ、２Ｃ・・・盗撮者
３Ａ、３Ｂ・・・光源
４・・・監視カメラ
５・・・タイミングコントローラ
６・・・記者
７・・・センサ
１０・・・不正撮影防止装置
【図１】
2009016254.tif 000003
【図２】
2009016254.tif 000004
【図３】
2009016254.tif 000005